(57)【要約】【課題】  外部入力の切換に際してその操作回数の低減を可能にしたテレビ受像機及び電子機器を提供する。【解決手段】  入力切換信号を含む各種の操作信号を入力するリモコン１１と、テレビ放送の映像／音声信号からなる内部入力が供給されるとともに、外部接続機器３０からの映像／音声信号からなる複数の外部入力が外部入力端子２３ａ〜２３ｃを介して供給され、何れか１つの入力を選択して出力する入力選択部１６と、入力切換信号が入力し、内部入力及び外部入力の内の１つを入力選択部１６に選択させた後に、所定の時間内にチャンネルダウンキーの操作信号が入力すると、入力選択部に現在選択されている入力の前に規定される入力を選択させるキー入力処理部１２とを備えたものである。【選択図】        図１
2007027976.tif 000002
【特許請求の範囲】
【請求項１】
入力切換信号を含む各種の操作信号を入力する操作部と、
テレビ放送の映像／音声信号からなる内部入力が供給されるとともに、外部接続機器からの映像／音声信号からなる複数の外部入力が外部入力端子を介して供給され、何れか１つの入力を選択して出力する入力選択部と、
前記入力切換信号が入力し、内部入力及び外部入力の内の１つを入力選択部に選択させた後に、所定の時間内に所定の操作信号が入力すると、少なくとも、現在選択されている入力の前に規定される入力を前記入力選択部に選択させるキー入力処理部と
を備えたことを特徴とするテレビ受信機。
【請求項２】
前記キー入力処理部は、前記入力切換信号が入力し、内部入力及び外部入力の内の１つを入力選択部に選択させた後に、所定の時間内に所定の操作信号が入力すると、現在選択されている入力の前に規定される外部入力を前記入力選択部に選択させることを特徴とする請求項１記載のテレビ受信機。
【請求項３】
映像を表示する表示手段と、
音声を出力する音声出力手段と、
前記入力選択部により選択された映像信号及び音声信号に所定の処理を施して前記表示手段及び音声出力手段にそれぞれ出力する映像音声処理部と
を備えたことを特徴とする請求項１又は２記載のテレビ受信機。
【請求項４】
前記入力切換信号が入力すると計測を開始するタイマを備え、
前記キー入力処理部は、前記タイマの計測時間が所定時間内に、所定の操作信号が入力すると、現在選択されている入力の前に規定される入力を前記入力選択部に選択させることを特徴とする請求項１〜３の何れかに記載のテレビ受信機。
【請求項５】
前記操作部はチャンネルアップキー及びチャンネルダウンキーを備え、
前記キー入力処理部は、前記タイマの計測時間が所定時間内に、前記チャンネルアップキーの操作信号が入力すると、現在選択されている入力の後に規定される入力を前記入力選択部に選択させ、前記チャンネルダウンキーの操作信号が入力すると、現在選択されている入力の前に規定される入力を前記入力選択部に選択させることを特徴とする請求項４記載のテレビ受信機。
【請求項６】
テレビ放送の映像／音声信号からなる内部入力が供給されるとともに、外部接続機器からの映像／音声信号からなる複数の外部入力が外部入力端子を介して供給され、何れか１つの入力を選択して出力する入力選択部と、
前記入力切換信号が入力し内部入力及び外部入力の内の１つを入力選択部に選択させた後に、所定の時間内に所定の操作信号が入力すると、現在選択されている入力の前に規定される入力を前記入力選択部に選択させるキー入力処理部と
を備えたことを特徴とする電子機器。
【発明の詳細な説明】
【技術分野】
【０００１】
本発明は、外部接続機器から映像ソース等を取り込むための外部入力端子を複数個備えたテレビ受信機及び電子機器に関し、特にその入力の切換に関する。
【背景技術】
【０００２】
テレビ受信機は、ＤＶＤレコーダー、ＢＳチューナー等の接続機器の増加に従って、外部入力端子の個数が増えている。このため、従来の入力切換キーで順次入力を選択していく方法では、目的の入力にたどり着くのための操作回数が多くなる。また、入力切換キーを押し過ぎてしまった場合には、もう一周キーを押さなければならないようなこともある。このようなことから、例えば使用しない端子を予め設定しておいて、選択時にスキップする入力切換方式が提案されている（例えば特許文献１参照）。
【特許文献１】特開平８−３２１９９７号公報
【発明の開示】
【発明が解決しようとする課題】
【０００３】
しかし、上記の特許文献１によって提案されている入力切換方式においては、外部入力端子に接続されている外部機器が多い場合にはスキップする端子が少なく、結果として入力切換キーを押す回数が減らない、という問題点があった。
【０００４】
本発明は、このような問題点を解決するためになされたものであり、外部入力の切換に際してその操作回数の低減を可能にしたテレビ受信機及び電子機器を提供することを目的とする。
【課題を解決するための手段】
【０００５】
本発明に係るテレビ受信機は、入力切換信号を含む各種の操作信号を入力する操作部と、テレビ放送の映像／音声信号からなる内部入力が供給されるとともに、外部接続機器からの映像／音声信号からなる複数の外部入力が外部入力端子を介して供給され、何れか１つの入力を選択して出力する入力選択部と、前記入力切換信号が入力し、内部入力及び外部入力の内の１つを入力選択部に選択させた後に、所定の時間内に所定の操作信号が入力すると、現在選択されている入力の前に規定される入力を前記入力選択部に選択させるキー入力処理部とを備えたものである。本発明においては、入力切換信号が入力し、内部入力及び外部入力の内の１つを選択した後に、所定の時間内に所定の操作信号（例えばチャンネルダウンキー、チャンネルアップキーの操作信号）が入力すると、現在選択されている入力の前・後に規定される入力を選択させるようにしており、このため、仮に入力切換操作で行き過ぎても直ぐ前の入力に戻せるので、キー操作の操作回数の低減化が可能になっている。
【０００６】
本発明に係るテレビ受信機において、前記キー入力処理部は、前記入力切換信号が入力し、内部入力及び外部入力の内の１つを入力選択部に選択させた後に、所定の時間内に所定の操作信号が入力すると、現在選択されている入力の前に規定される外部入力を前記入力選択部に選択させる。本発明においては、このように処理することにより、外部入力を選択する際の操作回数が低減する。
【０００７】
本発明に係るテレビ受信機は、映像を表示する表示手段と、音声を出力する音声出力手段と、前記入力選択部により選択された映像信号及び音声信号に所定の処理を施して前記表示手段及び音声出力手段にそれぞれ出力する映像音声処理部とを備えたものである。
【０００８】
本発明に係るテレビ受信機は、前記入力切換信号が入力すると計測を開始するタイマを備え、前記キー入力処理部は、前記タイマの計測時間が所定時間内に、所定の操作信号が入力すると、現在選択されている入力の前後に規定される入力を前記入力選択部に選択させる。
【０００９】
本発明に係るテレビ受信機は、前記操作部はチャンネルアップキー及びチャンネルダウンキーを備え、前記キー入力処理部は、前記タイマの計測時間が所定時間内に、前記チャンネルアップキーの操作信号が入力すると、現在選択されている入力の後に規定される入力を前記入力選択部に選択させ、前記チャンネルダウンキーの操作信号が入力すると、現在選択されている入力の前に規定される入力を前記入力選択部に選択させる。
【００１０】
本発明に係る電子機器は、テレビ放送の映像／音声信号からなる内部入力が供給されるとともに、外部接続機器からの映像／音声信号からなる複数の外部入力が外部入力端子を介して供給され、何れか１つの入力を選択して出力する入力選択部と、前記入力切換信号が入力し、内部入力及び外部入力の内の１つを前記入力選択部に選択させた後に、所定の時間内に所定の操作信号が入力すると、少なくとも、現在選択されている入力の前に規定される入力を前記入力選択部に選択させるキー入力処理部とを備えたものである。
【発明を実施するための最良の形態】
【００１１】
実施形態１．
図１は本発明の実施形態１に係るテレビ受信機の構成を示すブロック図である。このテレビ受信機１０は、リモートコントローラ（以下、リモコンと称する）１１、キー入力処理部１２、選局処理部１３、プリセット情報保持部１４、チューナー１５、入力選択部１６、映像音声処理部１７、映像出力部１８、表示装置１９、音声出力部２０、スピーカー２１及びタイマ２２から構成されている。テレビ受信機１０の入力選択部１６には外部入力端子２３ａ〜２３ｃを介して外部接続機器（例えばビデオプレーヤー、ＤＶＤレコーダー、ＢＳチューナー等）３０が接続されており、それらの映像信号及び音声信号が外部入力として供給される。なお、リモコン１１は本発明の操作部を構成し、映像出力部１８及び表示装置２１は本発明の表示手段を構成し、音声出力部２０及びスピーカー２１は本発明の音声出力手段を構成しているものとする。
【００１２】
リモコン１１は、後述のように（図２参照）、選局キー（ダイレクト選局キー、チャンネルアップ・ダウンキー）や入力切換キー等の各種のキーを備えており、視聴者によって操作される。リモコン１１による操作信号はキー入力処理部１２に入力し、キー入力処理部１２において解析されて例えば選局処理部１３に出力する。プリセット情報保持部１４には例えばダイレクト選局キー（数値キー）と受信チャンネルとの関係がプリセット情報として保持されており、選局処理部１３はキー入力処理部１２からの操作信号に基づいて選局情報を生成し、その選局情報に対応した受信チャンネル信号をプリセット情報保持部１４から読み出してチューナー１５に出力する。チューナー１５ではその受信チャンネル信号に対応したチャンネルが選局される。すなわち、チューナー１５は、アンテナ（図示せず）からの放送電波を受信し、選局処理部１３からの受信チャンネル信号に基づいて選局したチャンネルの映像／音声信号を内部入力として入力選択部１６へ供給する。
【００１３】
入力選択部１６にはチューナー１５からの映像／音声信号の他に、外部入力端子２３ａ〜２３ｃを介して外部接続機器３０からの映像／音声信号が外部入力として供給される。入力選択部１６は、リモコン１１の入力切換キーの操作信号（本発明の入力切換信号に相当する）がキー入力処理部１２を介して入力すると、入力選択を適宜行って、チューナー１５又は外部入力端子２３ａ〜２３ｃの何れかの映像／音声信号を選択して映像音声処理部１７に出力する。この入力選択の処理の詳細については後述の図３及び図４に基づいて詳細に説明する。映像音声処理部１７は、ビデオデコーダー、オーディオデコーダー、検波回路等を内蔵しており、入力選択部１６を介して入力してきた映像／音声信号の種類に応じた各種の処理を行って、映像信号を映像出力部１８に出力し、音声信号を音声出力部２０に出力する。映像出力部１８は、映像音声処理部１７からの映像信号に基づいて表示装置１９に表示させる映像信号を生成するものであり、例えば表示装置１９が液晶パネルからなる場合には、スケーラ−／ＯＳＤ（オンスクリーンデスプレイ）処理回路、フレームメモリ等を内蔵し、例えばフレームメモリにフレーム毎にフレーム画像を生成し、そのフレーム画像（映像信号）を読み出してＤ／Ａ変換を行い、例えばコンポジット映像信号に変換して表示装置１９に出力し、表示装置１９はその映像信号によるＴＶ映像等を表示する。また、音声出力部２０は、映像音声処理部１７からの音声信号をＤ／Ａ変換し、例えば右（Ｒ）音のアナログ信号及び左（Ｌ）音のアナログ信号を生成して増幅して、スピーカー２１に出力することでスピーカー２１から音声得られる。タイマ２２は、入力切換キーの操作信号が入力した後に、チャンネルアップ・ダウンキーが所定時間内に操作されたかどうかを判断するための時間を計測する。
【００１４】
図２はリモコン１１の正面図である。リモコン１１には各種のキーが取り付けられており、図示のように、例えば数値キー（ダイレクト選局キー）４１、チャンネルアップ・ダウンキー４２，４３、ボリュームアップ・ダウンキー４４，４５、方向キー（矢印キー）４６、エンターキー４７、入力切換キー４８等の各種のキーが設けられている。これらのキー４１〜４８は従来のキーと同一であるが、そのキー処理により後述のような機能が発揮される。
【００１５】
ところで、入力選択部１６には上記のような映像／音声信号が入力するが、ここでは、チューナー１５からの映像／音声信号を「テレビ」とし、外部入力端子２３ａ〜２３ｃからの外部入力をビデオ１、ビデオ２、ビデオ３と称するものとする。そして、入力選択部１６は、入力切換キー４８の操作信号が入力する度に、定常的には、テレビ−ビデオ１−ビデオ２−ビデオ３−テレビ−ビデオ１…という順序でサイクリックに入力を切り換えるように規定されているものとする。
【００１６】
図３は図１のキー入力処理部１２の処理を示したフローチャートである。視聴者がリモコン１１の入力切換キー４８を操作すると、キー入力処理部１２はこの操作信号を取り込んで図３のフローチャートの処理を開始し（Ｓ１１）、入力選択部１６に対して入力切換の処理を行わせる（Ｓ１２）。入力選択部１６はここでは所定の順序で入力切換の処理を行う。例えば現在テレビを視聴しているとするとビデオ１に、現在ビデオ１を視聴しているとするとビデオ２に切り換える等の処理をする。そして、キー入力処理部１２はタイマ２２による計測を開始させる（Ｓ１３）。
【００１７】
次に、キー入力処理部１２は、リモコン１１からのキー入力があったかどうかを判断し（Ｓ１４）、キー入力がなかった場合には、タイマ２２の計測時間が所定時間を経過したかどうかを判断し（Ｓ１５）、所定時間を経過していなければ上記の処理（Ｓ１４）に戻り、所定時間を経過していれば、タイマ２２をリセットし（Ｓ２１）、次のキー入力の処理に移行する（Ｓ２２）。
【００１８】
また、キー入力処理部１２は、上記の判断（Ｓ１５）においてリモコン１１からのキー入力があったと判断した場合（Ｓ１４）には、そのキー入力がチャンネルアップキー（ＣＨ＋）４２の操作信号であるかどうかを判断し（Ｓ１６）、チャンネルアップキー４２の操作信号であった場合には１つ次の入力に切り換えるように入力選択部１６に指示を与える（Ｓ１７）。例えば、上記の処理（Ｓ１２）においてテレビからビデオ１に切り換えた後にチャンネルアップキー４２が操作された場合には、入力選択部１６は入力をビデオ１からビデオ２に切り換える。そして、キー入力処理部１２は、タイマ２２の計測時間をリセットして計測を開始させる（Ｓ１３）。また、キー入力処理部１２は、上記の判断（Ｓ１６）においてチャンネルアップキー４２の操作信号ではないという判断をした場合には、キー入力がチャンネルダウンキー（ＣＨ−）４３の操作信号であるかどうかを判断し（Ｓ１８）、チャンネルダウンキー４３の操作信号であった場合には、１つ前の入力に切り換えるように入力選択部１６に指示を与える（Ｓ１９）。例えば、上記の処理（Ｓ１２）においてテレビからビデオ１に切り換えた後に、チャンネルダウンキー４３が操作された場合には、入力選択部１６はビデオ１からテレビに切り換える。そして、キー入力処理部１２は、タイマ２２の計測時間をリセットして計測を開始させる（Ｓ１３）。また、キー入力処理部１２は、上記の判断（Ｓ１８）においてチャンネルダウンキー４３の操作信号ではないという判断をした場合には、そのキー入力に対応した処理を行うように入力選択部１６に指示を与える（Ｓ２０）。例えば数値キー（ダイレクト選局キー）４１が操作された場合には、選局処理部１３にその数値キーの操作信号を供給して選局処理をさせる。その後、キー入力処理部１２はタイマ２２をリセットして（Ｓ２１）、次のキー入力に移行する（Ｓ２２）。
【００１９】
図４は上記の入力切換の遷移を示した説明図である。例えばテレビ（例えばＣＨ１０）を視聴している段階で（図３（ａ））、入力切換キー４８が操作されると、ビデオ１に切り換える（図３（ｂ）、Ｓ１１，Ｓ１２）。それから所定時間を経過した状態で入力切換キー４８が操作されると、ビデオ２に切り換える（図３（ｃ）、Ｓ１１、Ｓ１２）。ビデオ２に切り換えてからタイマ２２の計測時間が所定の時間以内のときに、チャンネルダウンキー４３が操作されると、ビデオ２からビデオ１に切り換える（図３（ｄ）、Ｓ１１〜Ｓ１４、Ｓ１６、Ｓ１８、Ｓ１９）。なお、このビデオ２からビデオ１に切り換える処理は、所定の順序で切り換えるとすると、ビデオ２−ビデオ３−テレビ−ビデオ１という順序で切り換えなければならないが、本実施形態１においては１回の操作で切り換えることができる。
【００２０】
入力選択部１６は、ビデオ２からビデオ１に切り換えた後、タイマ２２の計測時間が所定の時間以内のときに、チャンネルアップキー４２が操作されると、ビデオ１からビデオ２に切り換える（図３（ｅ）、Ｓ１１〜Ｓ１４、Ｓ１６、Ｓ１７）。そして、タイマ２２の計測時間が所定の時間を経過した後に、チャンネルダウンキー４３が操作されると、キー入力処理部１２は、この場合には図３の処理に関係なく、通常の処理を行って、入力選択部１６により入力をテレビに切り換えさせるとともに、選局処理部１３にそのチャンネルを前に選択されていたＣＨ１０からＣＨ９に切り換えさせるための処理を行わせる。
【００２１】
以上のように本実施形態１においては、入力切換信号が入力して内部入力及び外部入力の内の１つを選択した後に、所定の時間内にチャンネルダウンキー４３又はチャンネルアップキー４２の操作信号が入力すると、現在選択されている入力の前又は後に規定される入力を選択するようにしており、このため、仮に入力切換操作で行き過ぎても直ぐ前の入力に戻せるので、操作回数の低減化が可能になっている。
【００２２】
実施形態２．
なお、上記の実施形態１においては、入力切換キー４８を操作した後にチャンネルアップキー４２又はチャンネルダウンキー４３が操作されたときに、その後又は前の入力に切り換わる例について説明したが、チャンネルアップキー４２又はチャンネルダウンキー４３の代わりに、図２の方向キー４６等を用いても同様に機能させることができる。
【００２３】
また、上記の実施形態１においては、入力切換キー４８の操作信号が入力して内部入力及び外部入力の内の１つを選択した後に、所定の時間内にチャンネルアップキー４２又はチャンネルダウンキー４３の操作信号が入力すると、現在選択されている入力の後又は前に規定される入力を選択するようにした例について説明したが、その入力を選択する際には外部入力のみを選択させるようにしてもよい。例えばビデオ１が選択されている状態で所定の時間内にチャンネルダウンキー４３の操作信号が入力すると、キー入力処理部１２は、テレビではなく、ビデオ３を入力選択部１６に選択させるようにする。このように処理することにより、外部入力を選択する際の操作回数が低減する。
【００２４】
また、上記の実施形態１においてはテレビ受信機の例について説明したが、例えば図１のテレビ受信機１０の内、例えばリモコン１１、キー入力処理部１２、選局処理部１３、プリセット情報保持部１４、チューナー１５、入力選択部１６及びタイマ２２をデジタルチューナー等の電子機器に適用することにより同様な機能が得られる。
【図面の簡単な説明】
【００２５】
【図１】本発明の実施形態１に係るテレビ受信機の構成を示すブロック図。
【図２】リモコンの正面図。
【図３】入力選択部の処理を示したフローチャート。
【図４】入力切換の遷移を示した説明図。
【符号の説明】
【００２６】
１０ テレビ受信機、１１ リモコン、１２ キー入力処理部、１３ 選局処理部、１４ プリセット情報保持部、１５ チューナー、１６ 入力選択部、１７ 映像音声処理部、１８ 映像出力部、１９ 表示装置、２０ 音声出力部、２１ スピーカー、２２  タイマ。
【図１】
2007027976.tif 000003
【図２】
2007027976.tif 000004
【図３】
2007027976.tif 000005
【図４】
2007027976.tif 000006